(57)【特許請求の範囲】
【請求項１】
一又は複数の指針と、
前記指針の位置を示す標識が設けられた文字盤と、
前記指針を各々回動させる一又は複数のステッピングモータと、
当該ステッピングモータに駆動信号を送ることで前記指針が指し示す位置を制御する動作制御手段と、
を備え、
前記動作制御手段は、前記指針が指し示す指示位置により一の情報を表示させる際に、少なくとも一の当該指針に前記指示位置を基準とした予め設定されたパターンでの移動動作を間欠的に行わせることで付加情報を示し、
前記予め設定されたパターンは、前記少なくとも一の指針を前記指示位置から所定角度早送り移動させた後に、前記指示位置に早送り移動で戻す動作であり、
前記動作制御手段は、前記予め設定されたパターンを所定の時間間隔で繰り返し行わせ、
前記所定角度の正負により、各々異なる付加情報が示される
ことを特徴とするアナログ表示装置。
【請求項２】
前記付加情報は、二者択一の情報であり、当該付加情報を示す指針動作の有無により何れかの情報が選択的に示されることを特徴とする請求項１記載のアナログ表示装置。
【請求項３】
所定の物理量を計測する計測手段を備え、
前記一の情報は、当該計測手段による計測値に基づく数値指標であることを特徴とする請求項１又は２記載のアナログ表示装置。
【請求項４】
前記動作制御手段は、
現在時刻に従って前記文字盤上で複数の前記指針を回動させ、前記標識との位置関係により前記現在時刻を表示させる時計表示制御手段と、
前記一の情報を表示させる場合に、前記複数の指針と前記標識との位置関係により前記一の情報として表示させる数値指標の各桁の値が示されるように当該複数の指針を移動させる情報表示制御手段と
を備えることを特徴とする請求項１〜３の何れか一項に記載のアナログ表示装置。
【請求項５】
一又は複数の指針と、
前記指針が指し示す指示位置により一の情報を表示させる際に、少なくとも一の当該指針に前記指示位置を基準とした予め設定されたパターンでの移動動作を間欠的に行わせることで付加情報を示す制御手段と、を備え、
前記予め設定されたパターンは、前記指針を前記指示位置から所定角度早送り移動させた後に、前記指示位置に早送り移動で戻す動作であり、
前記制御手段は、前記予め設定されたパターンを所定の時間間隔で繰り返し行わせ、
前記所定角度の正負により、各々異なる付加情報が示される
ことを特徴とするアナログ表示装置。
【発明の詳細な説明】
【技術分野】
【０００１】
この発明は、指針を用いた情報表示を行うアナログ表示装置に関する。
【背景技術】
【０００２】
従来、独立に駆動可能な複数の指針を用いて時刻情報の他、種々の数値や情報を表示させることの可能なアナログ電子時計がある。このようなアナログ電子時計には、以前より、各種計測センサを更に備えることで、様々な計測値や計測データに基づく算出値をユーザに提供することが出来るものがある。
【０００３】
このような多機能アナログ電子時計では、単純に各々の指針により複数の情報を選択的に表示させると、どの針がどの情報を指し示しているのかが判別しづらくなるという問題がある。そこで、特許文献１には、秒針の秒を指し示す端部とは反対側の端部を用いてモード表示用の目盛を指し示すことで、秒を表示する際とモードを表示する際で差別化を図り、ユーザに判別しやすくする技術について開示されている。
【先行技術文献】
【特許文献】
【０００４】
【特許文献１】特開２００４−２２６３５０号公報
【発明の概要】
【発明が解決しようとする課題】
【０００５】
しかしながら、アナログ電子時計において、本来の時刻表示に用いられる指針は、時針及び分針の２本か、又は、これらに秒針を加えた３本である。これに対し、多様な機能に係る表示を行うために指針を増やすと、ユーザは、何れの指針がどの情報を指し示しているのかが一層判別し難くなる場合がある。また、アナログ表示装置において、限定的な用途のためだけに指針の数を増やすことは、モータの消費電力の増大や、各指針の駆動機構に必要なスペースの増大を招くという課題がある。
【０００６】
この発明の目的は、少ない指針で情報を的確に表示可能なアナログ表示装置を提供することにある。
【課題を解決するための手段】
【０００７】
本発明は、上記目的を達成するため、
一又は複数の指針と、
前記指針の位置を示す標識が設けられた文字盤と、
前記指針を各々回動させる一又は複数のステッピングモータと、
当該ステッピングモータに駆動信号を送ることで前記指針が指し示す位置を制御する動作制御手段と、
を備え、
前記動作制御手段は、前記指針が指し示す指示位置により一の情報を表示させる際に、少なくとも一の当該指針に前記指示位置を基準とした予め設定されたパターンでの移動動作を間欠的に行わせることで付加情報を示し、
前記予め設定されたパターンは、前記少なくとも一の指針を前記指示位置から所定角度早送り移動させた後に、前記指示位置に早送り移動で戻す動作であり、
前記動作制御手段は、前記予め設定されたパターンを所定の時間間隔で繰り返し行わせ、
前記所定角度の正負により、各々異なる付加情報が示される
ことを特徴とするアナログ表示装置である。
【発明の効果】
【０００８】
本発明に従うと、アナログ表示装置において、少ない指針で情報を的確に表示することができるという効果がある。
【図面の簡単な説明】
【０００９】
【図１】本発明の第１実施形態のアナログ電子時計の外観を示す正面図である。
【図２】第１実施形態のアナログ電子時計の内部構成を示すブロック図である。
【図３】第１実施形態のアナログ電子時計による表示例を示す平面図である。
【図４】第１実施形態のアナログ電子時計における温度表示処理の制御手順を示すフローチャートである。
【図５】第１実施形態のアナログ電子時計による表示の変形例を示す平面図である。
【図６】第２実施形態のアナログ電子時計の外観を示す正面図である。
【図７】第２実施形態のアナログ電子時計の内部構成を示すブロック図である。
【図８】第２実施形態のアナログ電子時計による表示例を示す平面図である。
【図９】第２実施形態のアナログ電子時計における高度表示処理の制御手順を示すフローチャートである。
【図１０】第２実施形態のアナログ電子時計による他の表示例を示す平面図である。
【発明を実施するための形態】
【００１０】
以下、本発明の実施の形態を図面に基づいて説明する。
【００１１】
［第１実施形態］
図１は、本発明のアナログ表示装置の第１実施形態のアナログ電子時計の正面図である。
【００１２】
第１実施形態のアナログ電子時計１では、ケーシング１０内で文字盤１１と、文字盤１１の上部を覆う図示略の透明な風防ガラスとの間に、時針２と、分針３とからなる２本の指針が同一の回転軸の周りを回転可能に設けられている。また、ケーシング１０の側面部には、４つの押しボタンスイッチＢ１〜Ｂ４と、リューズＣ１とが設けられている。このアナログ電子時計１は、ケーシング１０に繋がれたベルト１４Ａ、１４Ｂによりユーザの腕に装着可能な腕時計である。文字盤１１には、周縁部に６度間隔で目盛が６０個設けられ、また、３０度間隔で毎正時に対応した「１」〜「１２」の標識が設けられている。
【００１３】
図２は、アナログ電子時計１の内部構成を示すブロック図である。
【００１４】
このアナログ電子時計１は、ＣＰＵ（Central Processing Unit）４１と、ＲＯＭ（Read Only Memory）４２と、ＲＡＭ（Random Access Memory）４３と、時針２、分針３をそれぞれ輪列機構２２、２３を介して回転動作せるステッピングモータ３２、３３と、指針駆動部４７と、計測手段としての温度センサ４４と、発振回路４８と、分周回路４９と、計時回路５０と、操作部５１と、電源部５２などを備える。
【００１５】
ＣＰＵ４１は、種々の演算処理を行ってアナログ電子時計１の全体動作を統括制御する。ＲＯＭ４２は、アナログ電子時計１の制御プログラム、各種アプリケーションプログラム、及び、初期設定データを格納する。ＲＡＭ４３は、ＣＰＵ４１に作業用のメモリ空間を提供し、一時データを記憶する。ＣＰＵ４１は、ＲＯＭ４２から必要に応じてプログラムや設定データを読み出し、ＲＡＭ４３上に展開してプログラムを実行したり、データを利用したりする。
【００１６】
発振回路４８は、所定の周波数信号を継続的に生成して出力する。分周回路４９は、発振回路４８から入力された周波数信号をＣＰＵ４１や計時回路５０などの各部が利用する周波数の信号に分周、変換して出力する。計時回路５０は、分周回路４９から入力された周波数信号を計数することで現在時刻を計時して保持する。
【００１７】
操作部５１は、押しボタンスイッチＢ１〜Ｂ４及びリューズＣ１を備え、ユーザの操作入力に係る動作に基づいて電気信号に変換し、入力信号としてＣＰＵ４１に出力する。
【００１８】
電源部５２は、特に限られないが、例えば、太陽電池と二次電池との組み合わせにより構成され、ＣＰＵ４１に電力を供給する。
【００１９】
指針駆動部４７は、時針２及び分針３の回転動作に係るＣＰＵ４１からの制御信号に基づいて、ステッピングモータ３２、３３をそれぞれ適切なタイミングで回転駆動させる駆動信号を出力する。
ＣＰＵ４１及び指針駆動部４７により、動作制御手段（時計表示制御手段、情報表示制御手段）が構成される。
【００２０】
時針２は、ステッピングモータ３２が単位角度（例えば１８０度）回転する毎に輪列機構２２を介して１度ずつ回転する。分針３は、ステッピングモータ３３が駆動されて単位角度（１８０度）回転する毎に輪列機構２３を介して１度ずつ回転する。即ち、このアナログ電子時計１は、時針２及び分針３が一周３６０ステップの各位置に移動可能に構成されている。
【００２１】
温度センサ４４は、例えば、ワンチップ型のアナログ又はデジタル式温度センサであり、計測された温度に対応する電圧信号又は温度情報を含むデジタル信号をＣＰＵ４１に出力する。或いは、温度センサ４４は、ＣＰＵ４１及びＲＡＭ４３などと共に同一のマイコンチップ上に設けられていても良い。この温度センサ４４は、氷点下を含む広い大気温度を少なくとも１℃単位で算出可能な精度での計測を行うことが出来る。
【００２２】
次に、本実施形態のアナログ電子時計１による温度表示動作について説明する。
【００２３】
図３は、アナログ電子時計１の温度表示状態を説明するための平面図である。
【００２４】
このアナログ電子時計１では、時針２が文字盤１１の１２時方向から９時方向までの何れか正時方向を指し示すことによって、温度センサ４４の計測により求められた摂氏温度（数値指標）の十の位の値が０〜９の何れであるかが示され、分針３が文字盤１１の１２時方向から９時方向までの何れか正時の方向を指し示す（指示位置とする）ことによって、計測された摂氏温度の一の位の値が０〜９の何れであるかが示される。図３（ａ）に示す例では、時針２が１２時方向を指し示すことで、十の位の値が「０」であり、分針３が２時方向（１０分方向）を指し示すことで、一の位の値が「２」であることが示されている。
【００２５】
ここで、計測温度が氷点下の場合には、アナログ電子時計１では、付加情報の表示として、分針３を所定時間に一回予め設定されたパターンで移動動作させる。具体的には、このアナログ電子時計１では、図３（ｂ）において矢印で示すように、所定時間に一回、分針３を一の位の値の表示位置から所定の角度早送り移動させた後に元の一の位の値の表示位置に戻す振り戻し動作を行わせる。この振り戻し動作における所定時間及び所定の角度は、本来の一の位の値の表示を妨げない範囲であり、且つ、ユーザが振り戻し動作を見落とし難い範囲で設定される。例えば、分針３の早送り回転速度が正転方向に６４ステップ／秒（６４ｐｐｓ）、逆転方向に３２ｐｐｓである場合、分針３を２秒に一回６度往復させる設定とすることで、この往復動作に要する時間を約１４１ｍｓとし（移動先位置での一時停止時間を除く）、即ち、２秒間隔に対して十分短くとることができる。また、６度の移動は、１時間に相当する角度幅（３０度）と比較して十分に小さい。
【００２６】
図４は、第１実施形態のアナログ電子時計１において、ＣＰＵ４１が実行する温度表示処理の制御手順を示すフローチャートである。
【００２７】
本実施形態のアナログ電子時計１では、ユーザが押しボタンスイッチＢ４を押下することによって温度計測が行われ、時針２及び分針３により測定値により算出された温度が所定時間に亘って表示された後、元の表示状態に戻る構成となっている。ユーザにより押しボタンスイッチＢ４が押下されて温度表示処理が開始されると、ＣＰＵ４１は、先ず、温度センサ４４に指令を送って温度計測を行わせ、計測結果を温度センサ４４から取得する（ステップＳ１１）。
【００２８】
ＣＰＵ４１は、温度センサ４４から取得された電圧値や温度情報に係るデジタルデータから必要に応じて表示用の温度単位（数値指標）に換算する（ステップＳ１２）。ここでは、ＣＰＵ４１は、温度センサ４４から取得されたデータを摂氏温度に換算する処理を行う。このとき、測定値の有効桁数が表示可能な桁よりも多い場合には、ＣＰＵ４１は、測定温度を表示可能な桁数の数値とする。次に、ＣＰＵ４１は、この換算された値が温度センサ４４の測定範囲内の値であるか否かを判別する（ステップＳ１３）。測定範囲内ではないと判別された場合には、そのまま温度表示処理を終了する。或いは、時針２及び分針３を予め設定されたエラー表示の位置に移動させることとしても良い。
【００２９】
一方、測定範囲内の温度であると判別された場合には、ＣＰＵ４１は、マイナスフラグをクリアする（ステップＳ１４）。それから、ＣＰＵ４１は、この測定温度が０度未満であるか否かを判別する（ステップＳ１５）。測定温度が０度未満であると判別された場合には、ＣＰＵ４１は、マイナスフラグをセットし（ステップＳ１６）、それから、処理をステップＳ１７に移行させる。一方、測定温度が０度以上であると判別された場合には、ＣＰＵ４１の処理は、そのままステップＳ１７に移行する。
【００３０】
ステップＳ１７の処理では、ＣＰＵ４１は、温度表示に係る時針２及び分針３の位置を設定する。ＣＰＵ４１は、求められている測定温度の十の位の値と対応する文字盤１１上の正時位置に時針２の位置を設定し、測定温度の一の位の値と対応する文字盤１１上の正時位置に分針３の位置を設定する。そして、時針２及び分針３の位置が設定されると、ＣＰＵ４１は、指針駆動部４７に制御信号を送って時針２及び分針３を現在位置から設定位置に早送り移動させる（ステップＳ１８）。
【００３１】
時針２及び分針３の移動が終わると、ＣＰＵ４１は、マイナスフラグが設定されていて、且つ、現在時刻が偶数秒であるか否かを判別する（ステップＳ１９）。マイナスフラグが設定されていないか、又は、現在時刻が偶数秒ではないと判別された場合には、ＣＰＵ４１の処理は、そのままステップＳ２１に移行する。一方、マイナスフラグが設定されていて、且つ、現在時刻が偶数秒であると判別された場合には、ＣＰＵ４１は、指針駆動部４７に制御信号を送って分針３に振り戻し動作を行わせる（ステップＳ２０）。具体的には、ＣＰＵ４１は、上記したように、分針３を設定位置から６度早送りで正転方向に進ませた後、６度早送りで逆転方向に移動させることで設定位置に戻す動作を行わせる。それから、ＣＰＵ４１の処理は、ステップＳ２１に移行する。
【００３２】
ステップＳ２１の処理では、ＣＰＵ４１は、温度の表示が開始されてから予め設定された時間が経過したか否かを判別する。設定時間が経過していないと判別された場合には、ＣＰＵ４１は、例えば、１秒経過した後に、処理をステップＳ１９に戻す。一方、設定時間が経過したと判別された場合には、ＣＰＵ４１は、時刻表示処理を終了する。なお、このとき、ＣＰＵ４１は、温度表示を開始する前の表示状態に基づいて元の表示状態に戻す。例えば、温度表示を開始する前に現在時刻の表示を行っていた場合には、ＣＰＵ４１は、計時回路５０から現在時刻を取得して、当該現在時刻の位置に時針２及び分針３を移動させる。
【００３３】
このように、本発明の第１実施形態のアナログ電子時計１によれば、時刻を示す標識が設けられた文字盤１１上を回転可能に配置された時針２及び分針３と、時針２及び分針３を各々独立に回転動作させるステッピングモータ３２、３３と、指針駆動部４７を介してステッピングモータ３２、３３の駆動制御を行うＣＰＵ４１とを備え、時針及び分針３が指し示す位置の組み合わせにより温度のような一の計測値や、換算された摂氏温度のような算出値が表示される場合に、分針３により当該計測値の所定の桁の値を表示させると共に、例えば、２秒に一回間欠的に、この分針３の指示位置から６度幅で指針の振り戻し動作を行わせることで、付加情報として温度がマイナスであることを示すことが出来る。このように、数値自体とは違って二択表現で容易に表示が可能な情報については、別個に指針を設けずに、数値を示す指針によって付加的に表示を行わせることで、他の指針を回転動作させるための駆動機構などのスペースを必要とせず、小型化や省電力化を図ることが出来る。
また、指針の本数を必要以上に多くしないことで、どの指針がどの情報を示しているかの判別をユーザがより容易に行うことが出来る。即ち、ユーザによるデータの読み取りが複雑困難になるのを防ぐことが出来る。
【００３４】
また、プラスマイナス程度の情報を分針３により兼用表示させることで、独立の指針により文字盤上の特定箇所を指し示す構成とはならないので、当該表示用に文字盤１１にプラスマイナスの標識を設ける必要が無いので、文字盤１１のデザインをシンプルにしたり、或いは、他の情報のための標識に利用するスペースを確保したりすることが出来る。
【００３５】
また、このような振り戻し動作を行うか否かにより二種類の情報をユーザに提供できるので、プラス温度のように通常特にユーザに対して示さなくても問題を生じない情報に関しては、指針を一本余計に用いたり、振り戻し動作を行って電力を消費したりしなくて良い。
【００３６】
また、例えば、１周３６０ステップの位置に移動可能であり、正転６４ｐｐｓ、逆転３２ｐｐｓの早送りが可能な分針３による６度程度の振り戻し動作を２秒間隔で行うことにより、算出された摂氏温度の一の位の値を示しながらプラスマイナスの情報を間欠的に示すので、ユーザによる見落としが無い範囲であり、且つ、計測値の読み取りに影響を与えない程度の動作となり、ユーザが容易に２つの情報を読み取ることが出来る。
【００３７】
［変形例］
図５は、アナログ電子時計１における指針を用いた表示例の変形例を示す図である。
【００３８】
このアナログ電子時計１では、例えば、押しボタンスイッチＢ１を押下することにより、アラーム時刻の表示、設定モードに移行する。ここでは、図５（ａ）、（ｂ）に示すように、時針２及び分針３で６時３０分が指し示されている。
【００３９】
このとき、このアナログ電子時計１は、図５（ａ）において矢印で示すように、分針３を３０分の位置から所定の間隔で２９分の位置まで移動させて戻す負の振り戻し動作を行わせることで午前６時３０分を示し、一方、図５（ｂ）において矢印で示すように、分針３を３０分の位置から所定の間隔で３１分の位置まで移動させて戻す正の振り戻し動作を行わせることで午後６時３０分を示すように構成することが出来る。
【００４０】
上記のように、この変形例のアナログ電子時計１では、計測センサの出力値以外の表示に対しても同様の表示方法及び指針動作を用いることが出来るので、付加的な情報に対して１本の針を割り当てる必要が無い。
また、不必要に指針の数を増加させないことで、ユーザがより容易に表示を読み取ることが出来る。
【００４１】
また、指針の振り戻し動作の向きによって異なる情報を示させることで、複雑にならない範囲で付加情報の量を増加させることが出来る。
【００４２】
なお、上記の変形例では、分針３の振り戻しを午前、午後の表示に用いた例を示したが、他の表示、例えば、アラームのオンオフ設定を表示する際に用いても良い。
【００４３】
［第２実施形態］
次に、第２実施形態のアナログ電子時計について説明する。
図６は、第２実施形態のアナログ電子時計１ａの正面図である。
【００４４】
このアナログ電子時計１ａは、第１実施形態のアナログ電子時計１の外観構成に加えて秒針４を備えている。秒針４は、分針３及び時針２と同一の回転軸の周りを回転可能に配置されている。これ以外の外観構成については第１実施形態のアナログ電子時計１と同一であり、同一の符号を付して説明を省略する。
【００４５】
図７は、第２実施形態のアナログ電子時計１ａの内部構成を示すブロック図である。
【００４６】
アナログ電子時計１ａの内部構成は、第１実施形態のアナログ電子時計１の内部構成に加えて、秒針４を輪列機構２４を介して回転移動させるステッピングモータ３４を備える。このステッピングモータ３４は、ステッピングモータ３２、３３と共に、指針駆動部４７から送られる駆動信号により回転駆動する。即ち、時針２、分針３、秒針４は、それぞれ独立に回転動作を行わせることが可能となっている。本実施形態のアナログ電子時計１ａにおいて、秒針４は、６度ステップで一周６０箇所に移動可能な構成となっている。
【００４７】
また、このアナログ電子時計１ａは、温度センサ４４に代えて計測手段として気圧センサ４５を備える。気圧センサ４５は、例えば、ピエゾ効果を利用した半導体圧力センサである。また、ＲＯＭ４２には、モデル大気圧テーブル４２ａが格納されている。その他の構成は、アナログ電子時計１と同一であり、同一の符号を付して説明を省略する。
【００４８】
次に、第２実施形態のアナログ電子時計１ａの動作について説明する。
【００４９】
アナログ電子時計１ａは、第１実施形態のアナログ電子時計１における温度表示を行う機能に代えて、高度表示を行う機能を備えている。このアナログ電子時計１ａでは、気圧センサ４５により計測された気圧値を所定のモデルに基づいて高度値に換算して時針２、分針３、及び、秒針４を用いてこの高度を表示させる。気圧の高度変化を示すモデルとしては、静水圧平衡や気温の高度分布モデルに基づき種々のものが策定されており、適宜利用可能である。本実施形態のアナログ電子時計１ａでは、これらのモデルの何れかにより得られた高度値及び対応する大気圧を所定の高度間隔で関連付けて記憶する対照テーブルがモデル大気圧テーブル４２ａとしてＲＯＭ４２に格納され、このモデル大気圧テーブル４２ａと測定された大気圧の値とを用いて、例えば、線形補完により高度値が算出される。なお、より簡便な換算式のみを記憶させ、この換算式に基づいて毎回大気圧から高度値を算出することとしても良い。
【００５０】
図８は、アナログ電子時計１ａにおける高度表示の例を示す平面図である。
【００５１】
図８（ａ）に示す例では、時針２が１時方向、分針３が４時方向、秒針４が５時方向にそれぞれ向けられることで、高度が約１４５０ｍであることが示されている。また、このとき、矢印で示すように、秒針４に所定の時間間隔で負の振り戻し動作をさせることで、高度が１４４５ｍ以上１４４９ｍ以下であることが示されている。
【００５２】
一方、図８（ｂ）に示す例では、同様に高度が約１４５０ｍであることが示されている。また、矢印で示すように、秒針４に所定の時間間隔で正の振り戻し動作をさせることで、高度が１４５０ｍ以上１４５４ｍ以下であることが示されている。
【００５３】
図９は、第２実施形態のアナログ電子時計１ａにおいて、ＣＰＵ４１が実行する高度表示処理の制御手順を示すフローチャートである。
【００５４】
アナログ電子時計１ａでは、この高度表示処理は、押しボタンスイッチＢ４が押下されることで呼び出されて実行される。高度表示処理が開始されると、ＣＰＵ４１は、先ず、気圧センサ４５から気圧の測定値を取得する（ステップＳ３１）。それから、ＣＰＵ４１は、この測定値が測定範囲内の値であるか否かを判別する（ステップＳ３２）。測定値が測定範囲内にないと判別された場合には、ＣＰＵ４１は、そのまま高度表示処理を終了する。或いは、ＣＰＵ４１は、時針２、分針３、秒針４の一部又は全てを所定のエラー表示位置に移動させることで所定時間計測エラーを示した後に、高度表示処理を終了することとしても良い。
【００５５】
測定値が測定範囲内であると判別された場合には、ＣＰＵ４１は、モデル大気圧テーブル４２ａを用いて測定値を高度値に換算する（ステップＳ３３）。
【００５６】
ＣＰＵ４１は、マイナスフラグをクリアする（ステップＳ３４）。それから、ＣＰＵ４１は、求められた高度値の一の位の値が５以上であるか否かを判別する（ステップＳ３５）。一の位の値が５以上であると判別された場合には、ＣＰＵ４１は、高度値に１０を加算し、また、マイナスフラグをセットする（ステップＳ３６）。それから、ＣＰＵ４１の処理は、ステップＳ３７に移行する。一方、一の位の値が５未満であると判別された場合には、ＣＰＵ４１の処理は、そのままステップＳ３７に移行する。
【００５７】
ステップＳ３７の処理に移行すると、ＣＰＵ４１は、秒針４の移動先として高度値の十の位の値に対応する正時位置を設定し、分針３の移動先として、高度値の百の位の値に対応する正時位置を設定し、また、時針２の移動先として、高度値の千の位の値に対応する正時位置を設定する。全ての指針の移動先が設定されると、ＣＰＵ４１は、時針２、分針３、及び、秒針４をそれぞれ設定位置へと早送り移動させる（ステップＳ３８）。
【００５８】
全ての指針の移動が終了すると、ＣＰＵ４１は、次に、現在時刻が偶数秒であるか否かを判別する（ステップＳ３９ａ）。現在時刻が偶数秒ではないと判別された場合には、ＣＰＵ４１の処理は、ステップＳ４１に移行する。一方、現在時刻が偶数秒であると判別された場合には、ＣＰＵ４１は、続いて、マイナスフラグが設定されているか否かを判別する（ステップＳ３９ｂ）。マイナスフラグが設定されていると判別された場合には、ＣＰＵ４１は、秒針４を負側に降り戻し動作させる（ステップＳ４０ａ）。そして、ＣＰＵ４１の処理は、ステップＳ４１に移行する。マイナスフラグが設定されていないと判別された場合には、ＣＰＵ４１は、秒針４を正側に降り戻し動作させる（ステップＳ４０ｂ）。そして、ＣＰＵ４１の処理は、ステップＳ４１に移行する。
【００５９】
ステップＳ４１の処理へ移行すると、ＣＰＵ４１は、高度表示を開始してから所定の時間が経過したか否かを判別する。所定の時間が経過していないと判別された場合には、ＣＰＵ４１は、計時回路５０の計数する現在時刻が次の秒になるまで待機した後に、処理をステップＳ３９ａに戻す。所定の時間が経過したと判別された場合には、ＣＰＵ４１は、高度表示処理を終了する。
【００６０】
図１０は、アナログ電子時計１ａにおける高度表示の他の例を示す平面図である。
【００６１】
図１０（ａ）に示す表示例では時針２が１時方向、分針３が９時方向、秒針４が６時方向にそれぞれ向けられることで、高度が約１９６０ｍであることを示している。また、秒針４は、矢印で示すように負方向に９０度の振り戻し動作がなされ、点線で示すように３時の方向が一時的に指し示されている。この振り戻し動作により、高度が１９６３ｍであることが示されている。なお、このような表示を行う場合には、振り戻し動作における指針の早送り方向の方向転換時に適宜な一時停止時間を設けることが好ましい。また、６度ステップで移動可能な秒針４によりこの振り戻しを行わせることで、振り戻しに要する時間を長くしなくて良い。
【００６２】
一方、図１０（ｂ）に示す表示例では、時針２が２時方向、分針３が９時方向、秒針４が７時方向にそれぞれ向けられることで、高度が約２９７０ｍであることが示されている。また、矢印で示すように、秒針４を点線で示す３２分の方向へ−１８度（−３秒に相当）振り戻し動作させることで、高度が２９６７ｍであることが示されている。この表示例では、１０ｍ以上の値と比較して、ユーザが一の位の値を正確に読み取りづらくなるが、気圧計測に基づく高度計測では、１０ｍ未満の値の精度が十分ではない場合がしばしばある。そこで、このように付加情報として一の位の値を示すことで、表示に重み付けを行うことが出来る。
【００６３】
以上のように、第２実施形態のアナログ電子時計１ａは、同一の回転軸の周りを各々独立に回転可能に構成された３本の指針、即ち、時針２、分針３、及び、秒針４を備え、これら３本の指針により、気圧センサ４５で計測された気圧値に基づいて算出された４桁の高度値を表示させることが出来る。このとき、一の位の値を四捨五入したときの千の位の値を時針２に表示させ、百の位の値を分針３に表示させ、十の位の値を秒針４に表示させると共に、秒針４を正の側に降り戻し動作させるか、又は、負の側に振り戻し動作させるかによって一の位の値が５以上であるか５未満であるかを示す付加情報を合わせて表示させることが出来る。このような表示を用いることで、付加的な情報の表示に一本の指針を割り当てる必要が無く、輪列機構やステッピングモータを不要に増加させたり、情報精度を落としたりする必要が無い。
【００６４】
また、計測値の各桁の値を、各指針２〜４により文字盤１１における正時方向の標識をそれぞれ示させることにより表示するので、本来の時計の指針及び文字盤の構成に対して不要に指針や標識を追加せず、且つ、ユーザが読み取りやすい形態で現在時刻以外の情報を表示させることが出来る。
【００６５】
また、秒針４の振り戻しにより一の位の値を一時的に表示させることで、３本の指針で４桁の数値を表示することが出来る。
【００６６】
なお、本発明は、上記実施の形態に限られるものではなく、様々な変更が可能である。
例えば、上記第１実施形態では、分針３に振り戻し動作を行わせ、第２実施形態では、秒針４に振り戻し動作を行わせる例を示した。このように、最も長い指針に振り戻し動作を行わせることで、ユーザが最も付加情報を認識しやすくなるが、他の指針に振り戻し動作を行わせることとしても良い。
【００６７】
また、上記実施の形態では、２本の指針で３つの情報を示す場合、及び３本の指針で４つの情報を表示させることとしたが、例えば、２本の指針で４つの情報を示すなど、複数の指針が各々複数の情報を表示させることとしても良い。また、兼用表示に用いられる指針は、時針、分針、秒針に限られず、他の指針であっても良い。また、上記実施の形態では、同一軸に対して回転する指針について説明したが、異なる軸の周りを回転する指針が含まれていても良い。
【００６８】
また、このような表示を行わせる対象となる数値や情報としては、温度センサや気圧センサの他、方位センサや加速度センサといった種々のセンサ機器の測定結果に基づくものを利用可能である。また、本発明の表示方法に係る情報は、計測センサの値や計測値に基づいて算出された値に限られず、予め保持されたテーブルや計算のみによって求められる月齢や潮汐状態であってもよい。或いは、ストップウォッチやタイマなどの計測時間におけるラップタイム表示などについて、有効桁数を超える表示を行う場合に本発明を適用することも可能である。
【００６９】
また、上記第２実施形態では、３本の指針で４桁の数値を表す際に最下位桁である一の位の値を付加情報として示すこととしたが、例えば、気圧表示を「ｈＰａ」単位で行う場合のように、千の位の値が「０」又は「１」しかないような場合などでは、この千の位の値を付加情報として示すこととしても良い。
【００７０】
また、上記実施の形態では、アナログ電子時計を例に挙げて説明したが、時刻表示機能を有さない他のアナログ表示機器、例えば、電流、電圧、抵抗などを測定表示するマルチテスタや、指針による速度、距離計などにも本発明を適用可能である。また、機能上必要な本数の指針であれば、２本又は３本に限られず、他の本数の指針が設けられているアナログ表示装置であっても良い。
その他、上記実施の形態で示した具体的な数値や構成などの細部は、本発明の趣旨を逸脱しない範囲において適宜変更可能である。
【００７１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００７２】
［付記］
＜請求項１＞
一又は複数の指針と、
前記指針の位置を示す標識が設けられた文字盤と、
前記指針を各々回動させる一又は複数のステッピングモータと、
当該ステッピングモータに駆動信号を送ることで前記指針が指し示す位置を制御する動作制御手段と、
を備え、
前記動作制御手段は、前記指針が指し示す指示位置により一の情報を表示させる際に、少なくとも一の当該指針に前記指示位置を基準とした予め設定されたパターンでの移動動作を間欠的に行わせることで付加情報を示す
ことを特徴とするアナログ表示装置。
＜請求項２＞
前記予め設定されたパターンは、前記少なくとも一の指針を前記指示位置から所定角度早送り移動させた後に、前記指示位置に早送り移動で戻す動作であり、
前記動作制御手段は、当該所定のパターンを所定の時間間隔で繰り返し行わせる
ことを特徴とする請求項１記載のアナログ表示装置。
＜請求項３＞
前記付加情報は、二者択一の情報であり、当該付加情報を示す指針動作の有無により何れかの情報が選択的に示されることを特徴とする請求項２記載のアナログ表示装置。
＜請求項４＞
前記所定角度の正負により、各々異なる付加情報が示されることを特徴とする請求項２記載のアナログ表示装置。
＜請求項５＞
所定の物理量を計測する計測手段を備え、
前記一の情報は、当該計測手段による計測値に基づく数値指標であることを特徴とする請求項１〜４の何れか一項に記載のアナログ表示装置。
＜請求項６＞
前記動作制御手段は、
現在時刻に従って前記文字盤上で複数の前記指針を回動させ、前記標識との位置関係により前記現在時刻を表示させる時計表示制御手段と、
前記一の情報を表示させる場合に、前記複数の指針と前記標識との位置関係により前記一の情報として表示させる数値指標の各桁の値が示されるように当該複数の指針を移動させる情報表示制御手段と
を備えることを特徴とする請求項１〜５の何れか一項に記載のアナログ表示装置。
【符号の説明】
【００７３】
１、１ａ      アナログ電子時計
２     時針
３     分針
４     秒針
１０   ケーシング
１１   文字盤
１４Ａ、１４Ｂ       ベルト
２２〜２４    輪列機構
３２〜３４    ステッピングモータ
４１   ＣＰＵ
４２   ＲＯＭ
４２ａ モデル大気圧テーブル
４３   ＲＡＭ
４４   温度センサ
４５   気圧センサ
４７   指針駆動部
４８   発振回路
４９   分周回路
５０   計時回路
５１   操作部
５２   電源部
Ｂ１〜Ｂ４    ボタンスイッチ
Ｃ１   リューズ
【図１】
0005966453.tif 000002
【図２】
0005966453.tif 000003
【図３】
0005966453.tif 000004
【図４】
0005966453.tif 000005
【図５】
0005966453.tif 000006
【図６】
0005966453.tif 000007
【図７】
0005966453.tif 000008
【図８】
0005966453.tif 000009
【図９】
0005966453.tif 000010
【図１０】
0005966453.tif 000011